(57)【特許請求の範囲】
【請求項１】
平面形状における重心位置から偏心した位置に、軸を貫通させる軸穴が形成されると共に、前記平面形状の周縁部に接地部を有する板状の脚部と、
前記脚部の板面に隣接する位置に設けられ、前記軸穴に挿入される軸を受ける軸受と、
前記軸を中心として前記軸受と前記脚部とが相対的に回転した場合の複数位置において、前記軸受と前記脚部とをいずれの方向にも回転しない係合状態とする係合手段と、
前記係合手段による係合状態を解除可能な付勢力を有し、前記軸受と前記脚部を近接させる方向へ付勢する付勢手段と
を具備し、
前記脚部が前記軸を中心に回転するものであり、前記脚部は電子装置の側面に突設されるものであり、
前記軸穴から複数の前記接地部までの垂線の長さが、少なくとも一つ以上異なるように、前記軸穴が偏心して位置するように構成され、
前記係合手段は、前記軸受と前記脚部との対応位置に設けられた部材により構成され、
前記軸受と前記脚部とが係合状態となっている位置においては、前記付勢手段の付勢力に抗する力によって係合状態を解除して、前記脚部と前記軸受を離間させ得るように構成され、
係合状態を解除して前記脚部と前記軸受を離間させたときには、前記脚部と前記軸受を互いに相対的に回転させ得るように構成されていること
を特徴とするチルト装置。
【請求項２】
前記電子装置は情報を目視するための面を有しており、
該電子装置の底部に前記軸受を取り付けるための取付手段を
具備することを特徴とする請求項１に記載のチルト装置。
【請求項３】
前記脚部を前記電子装置の側面に位置付けた場合に、前記取付手段が前記電子装置の底部に位置付けられるような位置関係に構成されていること
を特徴とする請求項２に記載のチルト装置。
【請求項４】
前記取付手段は、前記軸受の一部に形成されていること
を特徴とする請求項２または３に記載のチルト装置。
【請求項５】
前記脚部の平面形状は、多角形、円形または楕円形であること
を特徴とする請求項１乃至４のいずれか１項に記載のチルト装置。
【請求項６】
前記脚部における前記軸受に隣接しない側には、前記係合手段による係合状態を解除すると共に前記脚部を前記軸受に対して相対的に回転させるためのハンドル部が設けられていること
を特徴とする請求項１乃至５のいずれか１項に記載のチルト装置。
【請求項７】
前記軸受に隣接しない側の脚部に設けられた、前記ハンドル部に、チルト状態の表示マークがあることを特徴とする請求項６に記載のチルト装置。
【発明の詳細な説明】
【技術分野】
【０００１】
この発明は、ベッドサイドモニタやセントラルモニタなどと称される医療用モニタにおける画面などの面に対して、角度を調整し、視認性を向上させるためのチルト装置に関するものである。
【背景技術】
【０００２】
従来、表示装置の画面やキーボードの操作面などの角度調整を行うチルト装置は、様々なものが知られている。例えば、キーボード後方の左右両端近傍に同軸の軸を中心に回転する回転体を備え、該回転体の一部が突起部とされており、リリースボタンを操作するとスプリング部の作用により上記突起部が回転し、キーボードをチルトアップするチルト機構が知られている（特許文献１参照）。
【０００３】
また、機器底部に付設された長短のＬ型チルト脚を備え、該長短の脚の好転を回転軸としたチルト機構により、ＡＶ機器等の表示部やキーボード等の操作角度を変更するものも知られている（特許文献２参照）。
【０００４】
更に、キーボードを納めた合成樹脂からなるケースの後部両側に突起又は溝を持ち弾性を有する押圧板と、前記ケースの壁面に設けられた軸の回りに回転可能かつ前記軸方向にスライド自在に取り付けられた、外周の少なくとも３箇所に係合溝又は突起を有する脚と、前記脚を出したときの前記押圧板の突起又は溝と前記脚の係合溝又は突起とのそれぞれの係止位置において、前記脚を少なくとも２通りの角度で傾斜させて支える支持板とを備えたキーボードのチルト装置も知られている（特許文献３参照）。
【０００５】
また、情報入力装置の後部の略延直面部と、これに対向するフット部材とが、２つの位置においてそれぞれ、いずれか一方側に設けられた固定軸と、その他方側に設けられた上記固定軸を摺動する摺動部とが嵌合することにより、互いに係合しており、使用時には、退避状態より、上記摺動部と上記固定軸とを互いに摺動させながら、上記フット部材を、回転およびスライドにより上記情報入力装置の下側に大きく突出させて、上記情報入力装置の脚とし、これにより上記情報入力装置を大きく傾斜するように構成した情報入力装置の傾斜機構も知られている（特許文献４参照）。
【０００６】
以上の構成に係る従来のチルト機構は、比較的簡易な構成であるという利点があるものの、基本的にはキーボードのような水平面に近い面等に関するチルト機構であり、垂直に近い面の角度を変更する機構としては十分なものではなかった。また、チルト機構が対象の底面に設けられた場合、角度調整する際に対象の底に手を入れなければならず、対象が重量物の角度調整する際に問題があるだけでなく、目視で設定角度を確認するのは極めて困難であった。さらに、医療環境のように限られた領域に対象を配置する際には、チルト機構が対象の背面に設けられると奥行きサイズが大きくなり、専有領域の面で問題が残った。また、前記チルト機構では２若しくは３段階での角度調整が限界と考えられるが、それ以上の多段階での角度調整の要望も高い。
【０００７】
上記に対し、机面に載置されるチルト支脚からディスプレイの裏面に向かって棒状に伸びるチルトステーを用い、該チルトステーが当接するディスプレイの裏面に鋸歯状の複数段係止歯を設けて、チルト角度を調整するものが知られている（特許文献５参照）。
【０００８】
また、机面に載置される設置アームと、この設置アームの端部に自由結合され、ディスプレイの裏面に沿って延びる支持アームと、上記設置アームの他端部に自由結合され支持アームとまで延びており、支持アームの長手方向に沿って摺動する構成を備えることにより、設置アームと支持アームが自由結合されている結合部の角度を調整可能とすることにより、チルト角度を調整するものも知られている（特許文献６参照）。
【０００９】
上記の機構は、立設された画面の角度調整に好適ではあるが、ディスプレイの裏面側にある程度大きなスペースを確保する必要があり、背面に空間をとることができない環境においては採用することができないという問題点があった。
【特許文献１】特開２００１−６７１６６号公報
【特許文献２】実開平５−７１５６号公報
【特許文献３】特公平７−１０７６６０号公報
【特許文献４】実開平５−３０９３３号公報
【特許文献５】特開平１０−１４５０５２号公報
【特許文献６】特開平１１−３５２８９８号公報
【発明の開示】
【発明が解決しようとする課題】
【００１０】
本発明は上記のような従来のチルト機構における問題点を解決せんとしてなされたもので、その目的は、装置の背面にスペースをとる必要がなく、しかも情報を目視するための面が立設状態である電子装置における上記面の角度調整を適切に行うことが可能なチルト装置を提供することである。
【課題を解決するための手段】
【００１１】
本発明に係るチルト装置は、平面形状における重心位置から偏心した位置に、軸を貫通させる軸穴が形成されると共に、前記平面形状の周縁部に接地部を有する板状の脚部と、前記脚部の板面に隣接する位置に設けられ、前記軸穴に挿入される軸を受ける軸受と、前記軸を中心として前記軸受と前記脚部とが相対的に回転した場合の複数位置において、前記軸受と前記脚部とをいずれの方向にも回転しない係合状態とする係合手段と、前記係合手段による係合状態を解除可能な付勢力を有し、前記軸受と前記脚部を近接させる方向へ付勢する付勢手段とを具備し、前記脚部が前記軸を中心に回転するものであり、前記脚部は電子装置の側面に突設されるものであり、前記軸穴から複数の前記接地部までの垂線の長さが、少なくとも一つ以上異なるように、前記軸穴が偏心して位置するように構成され、前記係合手段は、前記軸受と前記脚部との対応位置に設けられた部材により構成され、前記軸受と前記脚部とが係合状態となっている位置においては、前記付勢手段の付勢力に抗する力によって係合状態を解除して、前記脚部と前記軸受を離間させ得るように構成され、係合状態を解除して前記脚部と前記軸受を離間させたときには、前記脚部と前記軸受を互いに相対的に回転させ得るように構成されていることを特徴とする。
【００１３】
本発明に係るチルト装置では、前記電子装置は情報を目視するための面を有しており、該電子装置の底部に前記軸受を取り付けるための取付手段を具備することを特徴とする。
【００１４】
本発明に係るチルト装置では、前記脚部を前記電子装置の側面に位置付けた場合に、前記取付手段が前記電子装置の底部に位置付けられるような位置関係に構成されていることを特徴とする。
【００１５】
本発明に係るチルト装置では、前記取付手段は、前記軸受の一部に形成されていることを特徴とする。
【００１６】
本発明に係るチルト装置では、前記脚部の平面形状は、多角形、円形または楕円形であることを特徴とする。
【００１７】
本発明に係るチルト装置では、前記脚部における前記軸受に隣接しない側には、前記係合手段による係合状態を解除すると共に前記脚部を前記軸受に対して相対的に回転させるためのハンドル部が設けられていることを特徴とする。
【００１８】
本発明に係るチルト装置は、前記軸受に隣接しない側の脚部に設けられた、前記ハンドル部に、チルト状態の表示マークがあることを特徴とする。
【発明の効果】
【００１９】
本発明に係るチルト装置では、平面形状における重心位置から偏心した位置に、軸を貫通させる軸穴が形成されると共に、前記平面形状の周縁部に接地部を有する板状の脚部を備え、該脚部が前記軸を中心に回転し、前記脚部は電子装置の側面に突設されるので、電子装置の背面側に大きなスペースをとる必要がなく、省スペース化を図ることができだけでなく、電子装置全体の高さを小さくすることができる。
また、前記の脚部の板面に隣接する位置に前記軸穴に挿入される軸を受ける軸受が設けられおり、軸を中心として前記軸受と前記脚部とが相対的に回転した場合の複数位置において、前記軸受と前記脚部とを係合状態とする係合手段と、前記係合手段による係合状態を解除可能な付勢力を有し、前記軸受と前記脚部を近接させる方向へ付勢する付勢手段とにより角度調整を行う機構であり、上記の脚部と軸受の位置関係から、電子装置の底部に軸受を位置付けて立設状態となっている面の角度調整に好適である。さらに、脚部の形状に応じて、より多段階の角度調整をも可能とする。
【発明を実施するための最良の形態】
【００２０】
以下、添付図面を参照して本発明に係るチルト装置の実施例を説明する。各図において、同一の構成要素には同一の符号を付して重複する説明を省略する。図１に、実施例に係るチルト装置の組立斜視図を示し、図２に完成状態の斜視図を示す。実施例に係るチルト装置は、脚部１０、軸受２０、付勢手段であるバネ３、軸４０、ハンドル部５０のカバー５１を主な構成要素としている。
【００２１】
脚部１０は、平面形状が概ね正三角形であり、この平面形状における重心位置から偏心した位置に、軸４０を貫通させる軸穴１１が形成されている。図３には、この偏心の状態が示されている。最も離れた接地点（ここでは辺）７３ａまでの距離がＬａ、最も近い接地点７３ｂまでの距離がＬｂ、中間の距離だけ離れた接地点７３ｃまでの距離がＬｃであり、これらの距離Ｌａ、Ｌｂ、Ｌｃが異なること及び、このときに係合ピン２６が係合する係合穴１４〜１６が異なることにより、後に述べるようにチルト角が異なるように構成されている。
【００２２】
脚部１０は、板状であり、周縁部を一周する帯状の接地部１２を備えている。この接地部１２には、接地部１２の幅に対応する幅を有する周面部７１を有する例えばシリコンゴム性の滑止帯７０が被覆される。滑止帯７０においては、周面部７１の側縁部に、内側に折れ込むようにストッパ７２が形成されており、また接地部１２に凹部１２aが形成されると共に滑止帯７０の内周面の対応位置に凸部７４が形成され、滑止帯７０に対する接地部１２からの脱落防止の機能を果たしている。
【００２３】
軸受２０は、図１の状態における底面位置に、平面形状が四角形のベース２１を有する。このベース２１の四辺中の対向する２辺から、第１軸受板２２、第２軸受板２３が直角に立設し、残りの２辺からは結合板２４、２４が直角に立設している。第１軸受板２２は、脚部１０の軸穴１１を囲繞するスリーブ１３に当接するもので、第１軸受板２２には、軸穴１１に対応して軸４０の最細部４１が貫通する穴２２aが形成されている。
【００２４】
第２軸受板２３には、軸４０の最太部４２とほぼ同径であり、軸４０の頭部４３を通過させない径の穴２５が形成されている。バネ３は第１軸受板２２と第２軸受板２３との間に設置されて、第１軸受板２２の内壁と、最細部４１と最太部４２の間の段部４４とに介装される。軸４０の最細部４１の先端部には、軸心を介して対称に切欠された切欠部４５が形成されており、この切欠部４５は脚部１０の軸穴１１における平面部１１ａに嵌合して、軸４０が軸穴１１内で回転せぬように構成されている。軸４０の先端にはネジ穴が形成されており、ネジ８１により軸４０が脚部１０に固定される。
【００２５】
第１軸受板２２には、脚部１０の板面１８側に突出する円柱状の係合ピン２６が設けられている。脚部１０におけるスリーブ１３の周囲には、図３に示される如く三箇所に、上記係合ピン２６の先端と対応する係合穴１４〜１６が形成されている。係合穴１４〜１６の周囲には隔壁１７が囲繞するように形成されている。係合ピン２６の先端は、係合穴１４〜１６の隔壁内部に格納される。
【００２６】
一方、第１軸受板２２と第２軸受板２３との間の距離は、軸４０が軸穴１１に嵌合されたときにおけるスリーブ１３の先端部から軸４０の頭部４３までの距離よりも大きく短く、ハンドル部５０をバネ３の付勢力に抗して軸４０の最細部４１側へ移動させることにより、係合穴１４〜１６と隔壁１７から係合ピン２６の先端を引き抜くことができ、軸受２０と脚部１０とを相対的に回転させることが可能に構成されている（図４）。
【００２７】
上記のように、係合穴１４〜１６と係合ピン２６は、軸４０を中心として軸受２０と脚部１０とが相対的に回転した場合の複数位置において、軸受２０と脚部１０とを係合状態とする係合手段を構成する。尚、軸受２０と脚部１０の形状を変えて軸受２０に係合穴１４〜１６を設け、脚部１０に係合ピン２６を設けることも可能である。
【００２８】
軸受２０の結合板２４、２４には、直角に折り曲げられ、ベース２１と平行な取付部２７が備えられている。この取付部２７には、ネジが貫通する穴２８が形成されており、取付部２７は、情報を目視するための面を有する電子装置の底部に、軸受２０を取り付けるための取付手段を構成する。
【００２９】
ハンドル部５０のカバー５１は、軸受２０を小型にした三角ベース形状をなしており、ネジ８２〜８４を貫通させる穴が形成されたボス５２〜５４を裏面に備えている。軸受２０における板面１８の裏面側には、上記ボス５２〜５４に対応する形状の突起部１９が設けられており、突起部１９には、ボス５２〜５４におけるそれぞれの穴に対応するネジ穴が形成されている。ボス５２〜５４に突起部１９を対応させて位置付け、突起部１９のネジ穴とボス５２〜５４の穴との位置合わせを行って、ネジ８２〜８４によりカバー５１を突起部１９に固定してハンドル部５０を構成する。
【００３０】
８０は、チルト状態の表示マークが印刷されたシールであり、裏面に塗布された接着剤によりカバー５１の表面に貼着される。シール８０の表示マークは、文字、記号、数字などでもよく、実施例では図６に示すチルトの状態を表す数字が、シール８０に記載されている（図９参照）。図９では、最下段にある数字がチルト状態を表している。
【００３１】
以上の通り構成されたチルト装置２（２Ａ、２Ｂ）は、図５に示されるように情報を目視するための面を有する電子装置であるベッドサイドモニタ５の側部に近い底部６にネジ８８を用いて固定される。ベッドサイドモニタ５におけるチルト装置２の取付位置にあっては、筐体の側面側に半円形状の穴７が形成されており、チルト装置２のスリーブ１３から脚部１０側がベッドサイドモニタ５の側部に突出し、ベッドサイドモニタ５の高さを大きく変更することなく、しかも、側部に突出した脚部１０やハンドル部５０を回転させてチルト角度を変更することができる。なお、チルト装置２Ａ、２Ｂは装置の左右に設けるため、鏡面対称な構造を有している。
【００３２】
チルト角度を変更するときの動作を、図４を用いて詳細に説明する。まず、図２の状態において、ハンドル部５０をバネ３の付勢力に抗して軸４０の最細部４１側へ移動させ、係合穴１４の隔壁１７から係合ピン２６の先端を引き抜く（図４（ａ））。次に、軸受２０と脚部１０とを相対的に回転させ（図４（ｂ））、係合ピン２６の先端が係合穴１５の位置に合致したときに軸受２０をバネ３の付勢力に任せて、係合ピン２６と係合穴１５を嵌合させる（図４（ｃ））。
【００３３】
図４に示した軸受２０がチルト装置２Ｂを構成するものであり、ベッドサイドモニタ５自体の左側部に設けられるものである。本チルト装置２Ｂについて、係合ピン２６が係合穴１４〜１６のそれぞれに係合された状態では、図６に示すようにチルト角が変化することを説明する。鏡面対称な構造を有するチルト装置２Ａにおいても、対応した動作が行われる。係合ピン２６が係合穴１４と係合した状態では、図６（２）に示すようにチルト角がθ1となり、表示面Ｆが垂直線ＬVからθ1後方に傾いた状態を呈する。このとき、シール８０として図９に示したものを用いるならば、シール８０に記載されている数字中の数字「２」が最下段に位置し、当該チルト状態を表している。
【００３４】
係合ピン２６が係合穴１６と係合した状態では、図６（３）に示すようにチルト角がθ2となり、表示面Ｆが垂直線ＬVからθ2後方に傾いた状態を呈する。このとき、シール８０として図９に示したものを用いるならば、シール８０に記載されている数字中の数字「３」が最下段に位置し、当該チルト状態を表している。更に、係合ピン２６が係合穴１５と係合した状態では、図６（１）に示すようにチルト角が−θ1となり、表示面Ｆが垂直線ＬVからθ1前方に傾いた状態を呈する。このとき、シール８０として図９に示したものを用いるならば、シール８０に記載されている数字中の数字「１」が最下段に位置し、当該チルト状態を表している。本実施例のチルト角の値やそれがどのように変化するかについては、一例に過ぎないことは勿論である。
【００３５】
なお、脚部１０の平面形状は、多角形、円形または楕円形を採用することができる。多角形としては、星形などの突出部を有する形状も含まれる。図７には、脚部１０の平面形状を、円形としたものを示す。接地点７３ａ〜７３ｃと軸穴１１の中心との距離Ｌａ〜Ｌｃを図７の通り異ならせ、且つ、このときに係合ピン２６が係合する係合穴１４〜１６が異なるように構成することにより、チルト角が異なるように構成されている。
【００３６】
図８には、脚部１０の平面形状を、ほぼ四角形としたものを示す。接地点７３ａ〜７３ｄと軸穴１１の中心との距離Ｌａ〜Ｌｄを図８の通り異ならせ、且つ、このときに係合ピン２６が係合する係合穴１４〜１６、８９が異なるように構成することにより、チルト角が異なるように構成されている。
【図面の簡単な説明】
【００３７】
【図１】本発明の実施例に係るチルト装置の組立斜視図。
【図２】本発明の実施例に係るチルト装置の完成状態の斜視図。
【図３】本発明の実施例に係るチルト装置における要部の平面図。
【図４】本発明の実施例に係るチルト装置におけるチルト角度を変更するときの動作を説明するための斜視図。
【図５】本発明の実施例に係るチルト装置を電子装置に取り付けるときの組立斜視図。
【図６】本発明の実施例に係るチルト装置により電子装置のチルト角度変化を説明するための側面図。
【図７】本発明に係るチルト装置に用いる要部の変形例を示す平面図。
【図８】本発明に係るチルト装置に用いる要部の変形例を示す平面図。
【図９】本発明の実施例に係るチルト状態の表示を説明する側面図
【符号の説明】
【００３８】
２、２Ａ、２Ｂ  チルト装置
３  バネ
５  ベッドサイドモニタ
１０  脚部
１３  スリーブ
２０  軸受
４０  軸
５０  ハンドル部
５１  カバー
７０  滑止帯
【図１】
0005083662.tif 000002
【図２】
0005083662.tif 000003
【図３】
0005083662.tif 000004
【図４】
0005083662.tif 000005
【図５】
0005083662.tif 000006
【図６】
0005083662.tif 000007
【図７】
0005083662.tif 000008
【図８】
0005083662.tif 000009
【図９】
0005083662.tif 000010